(57)【要約】【課題】複数の装置が相互通信するに際して、同一のＩＰアドレスを備えた装置があっても、の設定変更なしに相互に通信プロトコルの送信を実行することを可能とすること。【解決手段】複数の各データ送受信装置２０１  〜２０ｎ  が相互にデータ通信を行うのを中継する中継装置本体１０Ａを備えたデータ中継装置１０であって、前記中継装置本体１０Ａが、前記各データ送受信装置２０１  〜２０ｎ  を相互に接続する複数のネットワークＩＦ１１１  〜１１ｎ  と、この各ネットワークＩＦに代替ＩＰアドレスを設定するＩＰアドレス変換回路１３とを備え、このＩＰアドレス変換回路１３で設定される代替ＩＰアドレスに基づいて中継装置本体１０Ａの通信分岐回路１２が、相互通信時の送信要請を発信した一方のデータ送受信装置１１１  と送信先にかかる他方のデータ送受信装置１１ｎ  とを相互通信可能に選択するようにした。【選択図】図１
2014204257.tif 000002
【特許請求の範囲】
【請求項１】
ネットワークを介して接続された複数の各データ送受信装置が相互にデータ通信を行うのを中継する中継装置本体を備えたデータ中継装置であって、
前記中継装置本体が、前記各データ送受信装置を相互に接続する複数のネットワーク・インタフェースと、この内の一のネットワーク・インタフェースを介して前記データ送受信装置の内の一の前記データ送受信装置から出される通信要請に基づいて通信先である他のデータ送受信装置に対応するネットワーク・インタフェースを選択し当該各ネットワーク・インタフェースを相互に接続する通信分岐回路とを備え、
前記通信分岐回路が前記選択動作で必要とする識別可能な前記一方と他方の各データ送受信装置の代替ＩＰアドレスを前記ネットワーク・インタフェースの各位置番号に対応させて設定し出力するＩＰアドレス変換回路を、前記通信分岐回路に併設したことを特徴とするデータ中継装置。
【請求項２】
請求項１に記載のデータ中継装置において、
前記各ネットワーク・インタフェースの代替ＩＰアドレスと、前記各ネットワーク・インタフェースに接続された前記各データ送受信装置のＩＰアドレスと、前記ＩＰアドレス変換回路によるＩＰアドレス変換の実施可否設定の組合せ情報とをアドレス変換ルールとして予め記憶して成るアドレス記憶部を、前記ＩＰアドレス変換回路に併設したことを特徴とするデータ中継装置。
【請求項３】
請求項２に記載のデータ中継装置において、
前記ＩＰアドレス変換回路は、
前記アドレス記憶部に記憶されたアドレス変換ルールに基いて、前記各データ送受信装置から出力される通信パケットの送信先ＩＰアドレス及び送信元ＩＰアドレスを特定する送信先特定機能と、この特定された送信先および送信元の各ＩＰアドレスを対応する前記代替ＩＰアドレスに個別に変換して前記通信分岐回路に送り出すＩＰアドレス変換機能とを備えていることを特徴としたデータ中継装置。
【請求項４】
請求項３に記載のデータ中継装置において、
前記ＩＰアドレス変換回路は、前記アドレス変換に際しては、前記アドレス記憶部に記憶されたアドレス変換ルールに基づいて前記ネットワーク・インタフェースに接続された前記各データ送受信装置のＩＰアドレスを自動的に取得するＩＰアドレス取得機能を備えていることを特徴としたデータ中継装置。
【請求項５】
請求項２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された各データ送受信装置にかかるＩＰアドレスが新たに入力された場合に、当該ＩＰアドレスおよび当該ＩＰアドレスに対応する代替ＩＰアドレスをそれぞれ可変設定するＩＰアドレス可変設定処理機能を備えていることを特徴としたデータ中継装置。
【請求項６】
請求項２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された各データ送受信装置にかかる代替ＩＰアドレスが入力された場合に、当該入力情報に基づいて前記代替ＩＰアドレスを設定し又は可変設定する代替ＩＰアドレス設定処理機能を備えていることを特徴としたデータ中継装置。
【請求項７】
請求項２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された特定のデータ送受信装置について前記ＩＰアドレスの変換を実行しない旨の指令が入力された場合に、当該指令にかかるデータ送受信装置についてはＩＰアドレスの変換を実行しないアドレス変換停止制御機能を備えていることを特徴としたデータ中継装置。
【請求項８】
請求項２に記載のデータ中継装置において、
前記ＩＰアドレス変換回路は、前記各データ送受信装置の内の少なくとも一のデータ送受信装置から対応するネットワーク・インタフェースを介して前記ＩＰアドレス変換回路に対し代替ＩＰアドレスの交付の要求が成された場合に稼働し、前記アドレス記憶部のアドレス変換ルールから対応する前記ネットワーク・インタフェースの代替ＩＰアドレスを取得し当該ネットワーク・インタフェースを介して前記データ送受信装置へ送信する代替データ取得送信処理機能を備えていることを特徴としたデータ中継装置。
【請求項９】
ネットワークを介して接続された複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて、前記中継装置本体のＩＰアドレス変換回路が稼働し、前記送信要請にかかる送信先のデータ送受信装置および対応するＩＰアドレスを特定し、
この特定された送信先および送信要請元の各ＩＰアドレスを、前記中継装置本体のＩＰアドレス変換回路が稼働し対応するネットワーク・インタフェースの代替ＩＰアドレスに変換し通信パケットと共に出力し、
この代替ＩＰアドレスに基づいて前記送信要請にかかる送信先および送信要請元の各データ送受信装置が接続されたネットワーク・インタフェースを、前記通信分岐回路が相互通信用として選択し、
この送信先のネットワーク・インタフェースと共に送られてくる通信パケットの代替ＩＰアドレスを、前記ＩＰアドレス変換回路が送信先のＩＰアドレスに変換し特定された前記ネットワーク・インタフェースを介して前記送信先のデータ送受信装置へ送信するようにしたことを特徴とするデータ中継方法。
【請求項１０】
ネットワークを介して接続された複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて前記送信要請にかかる送信先のデータ送受信装置および対応するＩＰアドレスを特定する送信先情報特定機能、
この特定された送信先および送信要請元の各ＩＰアドレスを対応するネットワーク・インタフェースの代替ＩＰアドレスに変換し通信パケットと共に出力する代替ＩＰアドレス変換出力処理機能、
この代替ＩＰアドレスに基づいて前記送信要請にかかる送信先および送信要請元の各データ送受信装置が接続されたネットワーク・インタフェースを相互通信用として選択し特定するネットワーク・インタフェース選択機能、
およびこの送信先のネットワーク・インタフェースと共に送られてくる通信パケットの代替ＩＰアドレスを送信先のＩＰアドレスに変換し特定された前記ネットワーク・インタフェースを介して前記送信先のデータ送受信装置へ送信制御する通信パケット送信制御機能、
を設け、これらの各機能を前記中継装置本体が備えているコンピュータに実現させるようにしたことを特徴としたデータ中継プログラム。
【発明の詳細な説明】
【技術分野】
【０００１】
本発明は、ネットワークを介してデータの送受信を行う情報通信システムにおけるデータ中継装置に係り、特に、同一ネットワークのデータ送信先に同一のＩＰパケットを備えた複数の情報機器が設置されている場合に機能するデータ中継装置、データ中継方法、及びそのプログラムに関する。
【背景技術】
【０００２】
図７に、ネットワークを介してデータの送受信を行う情報通信システムにおけるデータ中継装置の一例を示す。
この図７に示す情報通信システム３００は、ネットワーク・ケーブル２００（200１乃至200７）を介して通信パケットを送受信する７組から成る第１乃至第７のデータ送受信装置１０１乃至１０７と、この各データ送受信装置１０１乃至１０７の内の一のデータ送受信装置からの要請により当該各データ送受信装置１０１乃至１０７の内の何れか一つのデータ送受信装置との相互間のデータ送受信を設定するデータ中継装置１００と、これらの各構成部分の動作を管理する管理用端末１０８とを備えて構成されている。
【０００３】
ここで、中継装置１００は、その要部がレイヤ３ネットワーク・スイッチ装置１００Ａにより構成されている。又、第１乃至第７のデータ送受信装置１０１乃至１０７は、各種サーバ装置等が使用されている。
【０００４】
又、この図７に開示した第１乃至第７のデータ送受信装置１０１乃至１０７は、何れも同一のＩＰパケット（例えば、YYY ）を備えたデータ送受信装置が装備されている。記号ＡＡＡは管理用端末１０９のＩＰパケットを示す。
更に、符号１００１  〜１００８  は、レイヤ３ネットワーク・スイッチ装置１００Ａが備えているネットワーク・インタフェース（ネットワークＩＦ）を示す。
【０００５】
一方、上記データ中継装置１００に関連する技術として、下記の特許文献１，２が知られている。
この内、特許文献１には、ネットワーク内のデータ伝送に関する技術で、特に従来の同種技術では割り当てられたＩＰアドレスがローカルでのみ有効であったのを、ネットワークの交換ノードにアドレス変換を適用したことにより、ネットワークを介しての遠隔アクセスを可能とした内容が開示されている。
【０００６】
又、特許文献２には、データ中継装置およびデータ送出制御方法に関する技術が開示され、特にレイヤ３スイッチを用いると共に受け取ったデータをその宛て先に対応するポートに転送する形で中継を行うスイッチングハブやルータといった内容の技術が開示されている。
【先行技術文献】
【特許文献】
【０００７】
【特許文献１】特表2009-503923号公報（図１参照）
【特許文献２】特開2006-33714号公報
【発明の概要】
【発明が解決しようとする課題】
【０００８】
しかしながら、上記図７にあっては、第１に、サーバ装置の遠隔管理装置（ＢＭＣ）など工場出荷状態のＩＰアドレスが重複する装置が複数あり、それらがイーサネット（登録商標）のレイヤ３ネットワーク・スイッチ装置１００Ａに複数接続されている場合、各装置に対してイーサネット（登録商標）経由で正常な通信ができないか、通信できる場合でもどの装置に通信しているか判断できないという事態が発生する。
【０００９】
即ち、一方のデータ送受信装置から他方のデータ送受信装置に通信パケットを送信した場合、図７の場合には、重複したＩＰアドレス宛に当該通信パケットを送信したことになり、レイヤ３ネットワーク・スイッチ装置１００Ａとしては、どのネットワーク・インタフェース宛に通信パケットを転送するかを判断できない、という不都合が生じる。
【００１０】
又、イーサネット（登録商標）のレイヤ３ネットワーク・スイッチ装置１００ＡにＩＰアドレスYYYが重複するデータ送受信装置が複数接続されている図７の場合、それらの装置に対して正常な通信を行う為には、各装置のＩＰアドレスを個別に変更する必要があるが、それには手間と時間がかかるという不都合（事実上不可能に近い状態）がある。
このため、ネットワーク・ケーブル２００で正しく通信できない状態では、装置のネットワーク設定をネットワーク経由で行う事ができないことは明らかである。
【００１１】
更に、上記各特許文献１，２にあっては、通信する各局若しくは装置の各々は、異なったＩＰアドレスを個別に備えていることが前提となっており、このため、図７のような状態のシステムに対しては、その不都合の改善策に関する技術内容の開示はない。
【００１２】
［発明の目的］
本発明は、上記関連技術の有する不都合を改善し、特に、ネットワーク上で同一のＩＰアドレスを持つ複数の装置があっても、その内の一の装置に対して当該ＩＰアドレスの設定変更を行うことなく確実に通信プロトコルの送信を実行することを可能としたデータ中継装置、データ中継方法、およびデータ中継処理プログラムを提供することを、その目的とする。
【課題を解決するための手段】
【００１３】
上記目的を達成するため、本発明にかかるデータ中継装置は、複数のデータ送受信装置が相互にデータ通信を行うのを中継する中継装置本体を備えたデータ中継装置であって、
前記中継装置本体が、前記各データ送受信装置を相互に接続する複数のネットワーク・インタフェースと、この内の一のネットワーク・インタフェースを介して前記データ送受信装置の内の一の前記データ送受信装置から出される通信要請に基づいて通信相手にかかる他のデータ送受信装置に対応するネットワーク・インタフェースを選択し当該各ネットワーク・インタフェースを相互に接続する通信分岐回路とを備え、
前記通信分岐回路が前記選択動作で必要とする識別可能な前記一方と他方の各データ送受信装置の代替ＩＰアドレスを前記ネットワーク・インタフェースの各位置番号に対応させて設定し出力するＩＰアドレス変換回路を、前記通信分岐回路に併設する、という構成を採っている。
【００１４】
上記目的を達成するため、本発明にかかるデータ中継方法は、複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて、前記中継装置本体のＩＰアドレス変換回路が稼働し、前記送信要請にかかる送信先のデータ送受信装置および対応するＩＰアドレスを特定し（送信先情報特定工程）、
この特定された送信先および送信要請元の各ＩＰアドレスを、前記中継装置本体のＩＰアドレス変換回路が稼働し対応するネットワーク・インタフェースの代替ＩＰアドレスに変換し通信パケットと共に出力し（代替ＩＰアドレス変換出力工程）、
この代替ＩＰアドレスに基づいて前記送信要請にかかる送信先および送信要請元の各データ送受信装置が接続されたネットワーク・インタフェースを、前記通信分岐回路が相互通信用として選択し特定し（ネットワーク・インタフェース選択工程）、
この送信先のネットワーク・インタフェースと共に送られてくる通信パケットの代替ＩＰアドレスを、前記ＩＰアドレス変換回路が送信先のＩＰアドレスに変換し特定された前記ネットワーク・インタフェースを介して前記送信先のデータ送受信装置へ送信するようにする（通信パケット送信制御工程）、という構成を採っている。
【００１５】
上記目的を達成するため、本発明にかかるデータ中継プログラムは、複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて前記送信要請にかかる送信先のデータ送受信装置および対応するＩＰアドレスを特定する送信先情報特定機能、
この特定された送信先および送信要請元の各ＩＰアドレスを対応するネットワーク・インタフェースの代替ＩＰアドレスに変換し通信パケットと共に出力する代替ＩＰアドレス変換出力処理機能、
この代替ＩＰアドレスに基づいて前記送信要請にかかる送信先および送信要請元の各データ送受信装置が接続されたネットワーク・インタフェースを相互通信用として選択し特定するネットワーク・インタフェース選択機能、
およびこの送信先のネットワーク・インタフェースと共に送られてくる通信パケットの代替ＩＰアドレスを送信先のＩＰアドレスに変換し特定された前記ネットワーク・インタフェースを介して前記送信先のデータ送受信装置へ送信制御する通信パケット送信制御機能、
を設け、これらの各機能を前記中継装置本体が備えているコンピュータに実現させるようにする、という構成を採っている。
【発明の効果】
【００１６】
本発明は上記のように構成されているので、これによると、中継装置本体のネットワーク・インタフェースに接続される装置のＩＰアドレスが重複していても、ＩＰアドレス変換回路が有効に機能して何れの装置に対しても問題なく相互通信を可能とすることができるという優れたネットワーク中継装置、ネットワーク中継方法、及びそのプログラムを提供することができる。
【図面の簡単な説明】
【００１７】
【図１】本発明のデータ中継装置を情報通信システムについて実施した場合の第１実施形態を示すブロック図である。
【図２】図１中に開示したアドレス記憶部に格納されたアドレス変換ルールの一例を示す図表である。
【図３】図１中に開示したＩＰアドレス変換回路の各種機能を示すブロック図である。
【図４】図１に開示したデータ中継装置の動作を示すフローチャートである。
【図５】本発明の第２実施形態を示すブロック図である。
【図６】本発明の第１実施形態にかかる実施例を示すブロック図である。
【図７】関連技術の例を示す説明図である。
【発明を実施するための形態】
【００１８】
〔第１実施形態〕
以下、本発明にかかるデータ中継装置１０の第１実施形態を、図１乃至図２を参照して説明する。
まず、図１に、データ送受信を行う情報通信システム３０におけるデータ中継装置１０の一例を示す。
【００１９】
この図１に示すデータ中継装置１０は、それぞれがネットワーク・ケーブル７０１，７０２，７０３，…，  ７０ｎ  を介して個別に通信パケットを送受信するｎ組から成るデータ送受信装置２０１，２０２，２０３，…，  ２０ｎ  と、この各データ送受信装置２０１  乃至２０ｎ  からの要請により当該各データ送受信装置２０１  乃至２０ｎ  の相互間のデータ通信回路を設定する中継装置本体１０Ａと、これらの各構成部分の動作を管理する管理用端末２１とを備えて構成されている。
【００２０】
ここで、上記中継装置本体１０Ａは、レイヤ３ネットワーク・スイッチ装置をベースとして構成されている。又、データ送受信装置２０１  乃至２０ｎ  としては、各種サーバ装置等が使用されている。
図１中、符号１１１，１１２，１１３，…，  １１ｎ  は、中継装置本体１０Ａが備えているネットワーク・インタフェース（以下「ネットワークＩＦ」という）を示す。
【００２１】
この中継装置本体１０Ａは、各データ送受信装置２０１  乃至２０ｎ  を相互に接続する複数の前記ネットワークＩＦ１１１  乃至１１ｎ  と、このネットワークＩＦ１１１  乃至１１ｎ  の内の一のネットワークＩＦを介して上記データ送受信装置２０１  乃至２０ｎ  の内の対応する一のデータ送受信装置から出される通信要請に基づいて通信先である他のデータ送受信装置に対応するネットワークＩＦを選択し当該各ネットワークＩＦを相互に接続する通信分岐回路１２とを備えている。
【００２２】
この通信分岐回路１２には、当該通信分岐回路１２が前述した選択動作で必要とする識別可能な前記一方と他方の各データ送受信装置の代替ＩＰアドレスを、前記ネットワークＩＦ１１１  乃至１１ｎ  の各位置番号に対応させて設定し出力するＩＰアドレス変換回路１３が併設されている。
【００２３】
このため、本第１実施形態では、中継装置本体１０ＡのネットワークＩＦ１１１  乃至１１ｎ  に接続される各データ送受信装置２０１  乃至２０ｎ  のＩＰアドレスが重複していても、ＩＰアドレス変換回路１３が有効に機能し、対応設定される代替ＩＰアドレスを介して何れの装置に対しても問題なく相互通信を実行することが可能となっている。
【００２４】
ここで、上記ＩＰアドレス変換回路１３には、上記各ネットワークＩＦ１１１  乃至１１ｎ  に対応する前記代替ＩＰアドレスと、前記各ネットワークＩＦ１１１  乃至１１ｎ  に接続された前記各データ送受信装置２０１  乃至２０ｎ  のＩＰアドレスと、前記ＩＰアドレス変換回路１３によるＩＰアドレス変換の実施可否設定の組合せ情報とを、アドレス変換ルールとして予め記憶して成るアドレス記憶部１４が、併設されている。
【００２５】
図２に、アドレス変換ルールの一例を示す。
この図２に示すように、ネットワーク・インタフェースの個数分、予め用意されている。
そして、１ネットワーク・インタフェース分の変換ルールには、ネットワークＩＦ番号、ネットワークＩＦに接続される装置（データ送受信装置）のＩＰアドレス、ネットワークＩＦ用の代替ＩＰアドレス、ＩＰアドレス変換可否を示すフラグとから構成される。
【００２６】
これにより、ＩＰアドレス変換回路１３は、このアドレス記憶部１４に予め格納されたアドレス変換に必要な上記各情報に基づいて、各データ送受信装置２０１  乃至２０ｎ  からのデータ通信の要請に対して必要な交換接続を円滑に実行し得るようになっている。
【００２７】
ここで、上記ＩＰアドレス変換回路１３が備えている各種機能を、図３を参照して説明する。
このＩＰアドレス変換回路１３は、前記各データ送受信装置２０１  乃至２０ｎ  から出力される通信パケットの送信先ＩＰアドレスおよび送信元ＩＰアドレスを、前記アドレス記憶部１４に記憶されたアドレス変換ルールに基いて特定する送信先特定機能１３Ａと、この特定された送信先ＩＰアドレスおよび送信元ＩＰアドレスを前記代替ＩＰアドレスに個別に変換して前記通信分岐回路１２に送り出すＩＰアドレス変換機能１３Ｂとを備えている。
【００２８】
このため、通信分岐回路１２から見て前述した各データ送受信装置２０１  乃至２０ｎ  がそれぞれ異なったＩＰアドレスを備えていることとなり、対応する一のネットワークＩＦ１１１  乃至１１ｎ  を重複することなく一義的に選択（指定）することができる。
【００２９】
又、このＩＰアドレス変換回路１３は、上記アドレス変換に際しては、アドレス記憶部１４に記憶されているアドレス変換ルールに基づいて前記ネットワークＩＦに接続された各データ送受信装置２０１  乃至２０ｎ  のＩＰアドレスを自動的に取得するＩＰアドレス取得機能１３Ｃを備えている。
【００３０】
これにより、各データ送受信装置２０１  乃至２０ｎ  から送られてくる通信パケットから、代替ＩＰアドレスに変換するための送信要請元および送信先のＩＰアドレスを瞬時に特定することが可能となり、アドレス変換処理を正確に且つ迅速になし得るという利点が有る。
【００３１】
更に、このＩＰアドレス変換回路１３は、前述した管理用端末２１から、前記アドレス記憶部１４におけるアドレス変換ルールの内の前記ネットワークＩＦに接続された各データ送受信装置２０１  乃至２０ｎ  にかかる一又は複数のＩＰアドレスが新たに入力された場合に、当該ＩＰアドレスおよび当該ＩＰアドレスに対応する代替ＩＰアドレスをそれぞれ可変設定するＩＰアドレス可変設定処理機能１３Ｄを備えている。
これにより、データ送受信装置２０１  乃至２０ｎ  の一部に故障等による入れ替え装備があった場合、若しくはＩＰアドレスの変更があった場合若しくは前述した管理用端末２０からの変更要請があった場合にも、これに迅速に対応することが可能となる。
【００３２】
又、ＩＰアドレス変換回路１３は、前述したデータ入力用の管理用端末２１から、前記アドレス記憶部１４におけるアドレス変換ルールの内の前記ネットワーク・インタフェースに接続された各データ送受信装置２０１  乃至２０ｎ  にかかる少なくとも一の代替ＩＰアドレスが入力された場合に、当該入力情報に基づいて前記代替ＩＰアドレスを設定し又は可変設定する代替ＩＰアドレス設定処理機能１３Ｅを備えている。
これにより、上記情報通信システムの管理者は、前記アドレス記憶部１４におけるアドレス変換ルールの内の代替ＩＰアドレスを、外部から必要に応じて自在に可変設定することが可能となっている。
【００３３】
更に、このＩＰアドレス変換回路１３は、前述した管理用端末２１から前記アドレス記憶部１４におけるアドレス変換ルールの内の前記ネットワークＩＦに接続された特定のデータ送受信装置２０１  等について前記ＩＰアドレスの変換を実行しない旨の指令が入力された場合に、当該指令にかかるデータ送受信装置２０１  等についてはＩＰアドレスの変換を実行しないアドレス変換停止制御機能１３Ｆを備えている。
これにより、システム全体の運用に際しては、管理者の意向に沿ったシステムの運営が可能となり、システム全体の安定した動作およびシステム全体の信頼性を担保することが可能となるという利点がある。
【００３４】
又、上記ＩＰアドレス変換回路１３は、前記各データ送受信装置２０１  乃至２０ｎ  の内の少なくとも一のデータ送受信装置２０１  等から対応するネットワークＩＦ１１１  等を介して当該ＩＰアドレス変換回路１３に対し代替ＩＰアドレスの交付の要求が成された場合に稼働し、前記アドレス記憶部１４のアドレス変換ルールから対応する前記ネットワークＩＦの代替ＩＰアドレスを取得し当該ネットワークＩＦ１１１  等を介して前記データ送受信装置２０１  等へ送信する代替データ取得送信処理機能１３Ｇを備えている。
【００３５】
これにより、データ送受信装置２０１  等をして、当該自己のＩＰアドレスと同一のＩＰアドレスを備えたデータ送受信装置が他にも存在するにもかかわらず、何ら混乱することなく的確に通信回線の交換中継を成し得る理由を知らしめることができ、当該データ中継装置１０に対する信頼性をより一層高めることができるという利点がある。
【００３６】
更に、このＩＰアドレス変換回路１３は、代替ＩＰアドレスを付与した前記データ送受信装置が接続されたネットワークＩＦについては、外部からの要求があっても当該ＩＰアドレスのアドレス変換を実行しないアドレス変換不実行制御機能１３Ｈを備えている。
これにより、システム全体の安全管理を徹底することができ、当該システムの信頼性および耐久性をより強化することができるという利点がある。
【００３７】
（第１実施形態の動作）
次に、上記第１実施形態におけるデータ中継装置１０の動作について、その基本的な動作内容を図４のフローチャートを参照して説明する。
【００３８】
本第１実施形態は、上述したように、各ネットワーク・ケーブル７０（７０１  乃至７０ｎ  ）を介して接続された複数のデータ送受信装置２０１  乃至２０ｎ  が相互にデータ通信を行うのを中継する中継装置本体１０Ａを備え、この中継装置本体１０Ａが前記各データ送受信装置２０１  乃至２０ｎ  を相互に接続するための複数のネットワークＩＦ１１１  乃至１１ｎ  を備えている。
【００３９】
そして、まず、前記一のネットワークＩＦ（例えば１１１  ）を介して前記データ送受信装置の内の一のデータ送受信装置２０１  から特定のデータ送受信装置（例えば２０ｎ  ）を指定して通信パケットの送信要請があった場合、まず、ＩＰアドレス変換回路１３はこれを受信する（図４：ステップＳ１０１）。
【００４０】
次に、アドレス変換回路１３の送信先特定機能１３Ａが稼働して当該送信要請の内容を分析し、同時に前述したアドレス記憶部１４に記憶されたアドレス変換ルールを参照し、当該送信要請元および送信先のデータ送受信装置（例えば２０１  ，２０ｎ  ）および対応するＩＰアドレスを特定する（図４：ステップＳ１０２／送信先情報特定工程）。
【００４１】
続いて、この特定された送信先および送信要請元の各ＩＰアドレスを、前記ＩＰアドレス変換回路１３のＩＰアドレス変換機能１３Ｂが稼働し、対応するネットワークＩＦ１１１  ，１１ｎ  の代替ＩＰアドレスに変換し、通信パケットと共に通信分岐回路１２に向けて出力する（図４：ステップＳ１０３／代替ＩＰアドレス変換出力工程）。
【００４２】
次に、前記通信分岐回路１２は、この送られてくる送信要請元と送信先の各代替ＩＰアドレスに基づいて、当該送信要請元および送信先の各データ送受信装置２０１  ，２０ｎ  が接続されたネットワークＩＦ１１１  ，１１ｎ  を、相互通信用のＩＦとして選択する（図４：ステップＳ１０４／ネットワークＩＦ選択工程）。この場合、通信分岐回路１２は、前述したアドレス記憶部１４に記憶されているアドレス変換ルールを確認しネットワークＩＦ１１１  ，１１ｎ  を特定する。
【００４３】
そして、前記ＩＰアドレス変換回路１３は、前記通信分岐回路１２により選択された送信先のネットワークＩＦ１１ｎ  にかかる（該通信パケットの）代替ＩＰアドレスを、送信先のＩＰアドレスに変換する（図４：ステップＳ１０５）。そして、前記通信分岐回路１２で特定されたネットワークＩＦ１１ｎ  を介して通信パケットを前記送信先のデータ送受信装置２０ｎ  へ送信する（図４：ステップＳ１０６／通信パケット送信制御工程）。
【００４４】
ここで、上記動作内容を、更に具体的に説明する。
本第１実施形態では、前述したように、中継装置本体１０ＡのネットワークＩＦ１１１  〜１１ｎ  と通信分岐回路１２の間に、アドレス記憶部１４が接続されたＩＰアドレス変換回路１２を設置されている。
これにより、中継装置本体１０ＡにネットワークＩＦ１１１  〜１１ｎ  で接続された装置（データ送受信装置のこと。以下同じ）の相互間で、代替ＩＰアドレスを用いた装置間の通信が可能となる（図１参照）。
【００４５】
例として装置２０１  から装置２０ｎ  への通信を示す。他の装置との間の通信でも同様である。
尚、ＩＰアドレス変換回路１３は、事前に、アドレス記憶部１４からネットワークＩＦ１１１  〜１１ｎ  用の変換ルールを取得しているものとする。
【００４６】
中継装置本体１０ＡのＩＰアドレス変換回路１３は、アドレス記憶部１４に記憶された変換ルールに基づき、ネットワークＩＦ１１１  で受信した装置２０１  から装置２０ｎ  の通信パケットの送信元ＩＰアドレスを、受信したネットワークＩＦ１１１  用の代替ＩＰアドレスに変換する。
【００４７】
同様に、ＩＰアドレス変換回路１３は通信分岐回路１２から受信した通信パケットの送信先ＩＰアドレスを、送信先のネットワークＩＦ１１ｎ  に接続された装置２０ｎ  のＩＰアドレスに変換する。
これにより、中継装置本体１０Ａから通信パケットを受信した装置２０ｎ  は、代替ＩＰアドレスを持つ装置２０１  からの通信パケットであると認識される。この為、装置間で相互の代替ＩＰアドレスを介しての相互通信を行うことができる。
【００４８】
ここで、上記第１実施形態における各構成部材の連係動作の各工程内容にあっては、これらをプログラム化し前記中継装置本体１０Ａが備えているコンピュータに実現させるようにしてもよい。この場合、本プログラムは、非一時的な記憶媒体、例えば、ＤＶＤ、ＣＤ、フラッシュメモリなどに記録されてもよい。その場合、本プログラムは当該記憶媒体からコンピュータによって読み出され、実行される。
【００４９】
（第１実施形態の効果）
本第１実施形態は上記のように構成され機能するので、これによると、中継装置本体１０ＡのネットワークＩＦ１１１  〜１１ｎ  に接続された装置２０１  〜２０ｎ  のＩＰアドレスが重複していても、ＩＰアドレス変換回路１３が有効に機能して何れの装置間でも問題なく相互通信を可能とすることができる。
【００５０】
〔第２実施形態〕
（構成の内容）
次に、本発明にかかるデータ中継装置１０の第２の実施形態を、図３を参照して説明する。ここで、前述した第１実施形態と同一の構成部材については同一の符号を用いるものとする。
【００５１】
この第２実施形態は、基本的には前述した第１実施形態と同一の新規な技術内容を対象としている。構成上の相違点は、図３に示すように、通信分岐回路１２とＩＰアドレス変換回路１３と各ネットワークＩＦ１１１  〜１１ｎ  との接続回線を、当該ネットワークＩＦ１１１  〜１１ｎ  に合わせて個別化した点にある。
【００５２】
これにより、通信分岐回路１２によるネットワークＩＦ１１１  〜１１ｎ  の選択がそのまま個別の回線を使用してアドレス変換回路１３に伝えられるので、ＩＰアドレス変換回路１３は、当該選定されたネットワークＩＦにかかる代替ＩＰアドレスを送信先のＩＰアドレスに変換して当該パケット通信を対応するネットワークＩＦに転送するだけの動作となり、負担が軽減されるという利点がある。
【００５３】
以下、この第２実施形態における構成各部の動作内容を説明する。
通信分岐回路１２は、通信パケットの送信先ＩＰアドレスに基づき、通信パケットを対応する適切な内部通信路に転送する。
【００５４】
ＩＰアドレス変換回路１３は、アドレス記憶部１４に記憶された変換ルールに基づき、通信パケットにかかる送信要請元および送信先における各装置２０１  〜２０ｎ  の各ＩＰアドレスを、当該装置２０１  〜２０ｎ  が接続されるネットワークＩＦ１１１  〜１１ｎ  用の各代替ＩＰアドレスに変換する。
その他の構成は、前述した第１実施形態の場合と同一となっている。
【００５５】
（第２実施形態の動作）
一例として装置２０１  から装置２０ｎ  に対して通信を行う際の動作について、順に説明する。
ここで、ＩＰアドレス変換回路１３は、それぞれ内部接続を経由して事前にアドレス記憶部１４よりネットワークＩＦ１１１  〜１１ｎ  用の変換ルール（図２参照）を取得するものとする。
【００５６】
まず、装置２０１  は、送信先の装置２０ｎ  が接続される中継装置本体１０ＡのネットワークＩＦ１１ｎ  に設定される代替ＩＰアドレス宛の通信パケットを、ネットワークＩＦ１１１  から中継装置本体１０ＡのネットワークＩＦ１１ｎ  に送信する。
【００５７】
この場合、まず、ネットワーク・ケーブル７０を介してネットワークＩＦ１１１  で受信された通信パケットは、内部通信路を経由して、ＩＰアドレス変換回路１３に到達する。  
【００５８】
ＩＰアドレス変換回路１３は、装置２０１  から受信した通信パケットの送信元ＩＰアドレスを、受信したネットワークＩＦ１１１  の代替ＩＰアドレスに変換し、通信分岐回路１２に送信する。
【００５９】
次に、この通信分岐回路１２は、ＩＰアドレス変換回路１３から受信した通信パケットの送信先ＩＰアドレスから通信パケットの送信先を判断し、適切な一の内部通信路を経由して当該通信パケットを前記ＩＰアドレス変換回路１３に送信する（戻す）。
【００６０】
通信分岐回路１２から一の内部通信路を介して通信パケットを受信したＩＰアドレス変換回路１３は、通信分岐回路１２から受信した通信パケットの送信先ＩＰアドレスを装置２０ｎ  のＩＰアドレスに変換し、上述したように、通信パケットを装置２０ｎ  用のネットワークＩＦ１１ｎ  に送信する。
【００６１】
装置２０ｎ  用のネットワークＩＦ１１ｎ  に到達した通信パケットは、当該ネットワークＩＦ１１ｎ  を経由して装置２０ｎ  に到達する。
そして、装置２０ｎ  が通信パケットを受信した際、通信パケットの送信先ＩＰアドレスは装置２０ｎ  のＩＰアドレス、送信元ＩＰアドレスは中継装置本体１０Ａの装置２０１  用ネットワークＩＦ１１１  の代替ＩＰアドレスとなる。
【００６２】
（第２実施形態の効果）
このようにしても、前述した第１実施形態におけるデータ中継装置１０の場合と同等の作用効果を得ることができる。
【００６３】
〔上記各実施形態の変形例〕
上記第１，第２の各実施形態において、中継装置本体１０ＡのネットワークＩＦ１１１  〜１１ｎ  の個数は任意である（ｎは２以上の数を意味する）。
任意のネットワーク・インタフェースについて、前述した第１実施形態で開示したように、代替ＩＰアドレスへのＩＰアドレス変換を行わない変換ルールを定義することも可能である。又、中継装置本体１０Ａに接続される装置２０１  〜２０ｎ  のＩＰアドレスは重複しても良い。
【００６４】
又、データ中継装置１０の管理者は、前述した第１実施形態で開示したように、アドレス変換ルールを変更するように構成してもよい。
更に、ＩＰアドレス変換回路１３は、通信パケットがネットワークＩＦ１１１  〜１１ｎ  からＩＰアドレス変換回路１３に送信された際に、送信元および送信先の各ＩＰアドレス両方を変換しても良いし、通信分岐回路１２へのパケット送信時に送信元ＩＰアドレスを、通信分岐回路１２からのパケット受信時に送信先ＩＰアドレスを、それぞれ変換するようにしても良い。
【００６５】
又、ＩＰアドレス変換回路１３において、ネットワークＩＦ１１１  〜１１ｎ  からの通信パケット受信時に通信パケットの送信先及び送信元の各ＩＰアドレスを一度に変換するように構成してもよい。
この場合、通信分岐回路１２はＩＰアドレス変換回路１３とネットワークＩＦ１１１  〜１１ｎ  に接続され、ＩＰアドレス変換回路１３から受信したＩＰアドレス変換済みの通信パケットをネットワークＩＦ１１１  〜１１ｎ  に送信する。この場合、ＩＰアドレス変換回路１３には、通信パケットに送信先のネットワークＩＦ１１１  〜１１ｎ  の情報を付与する機能を備えたものが使用される。
【００６６】
更に、ＩＰアドレス変換回路１３の個数は、ネットワークＩＦ１１１  〜１１ｎ  の個数と同じでなくても良い（１つでも良い）。
又、ＩＰアドレス変換回路１３は、送信先ＩＰアドレス変換用、送信元ＩＰアドレス変換用で個別に設置しても良い。又、内部通信路は共用しても良い。
【００６７】
〔実施例〕
次に、本発明の実装例を図４に示す。例として４個のネットワークＩＦ１１１  〜１１４  を持つ中継装置本体１０Ａを備えたデータ中継装置１０について説明する。
ここで、前述した第１実施形態の場合と同一の構成部材については、同一の符号を用いるものとする。
【００６８】
この図４における中継装置本体１０Ａは、前述した第１実施形態の場合と同様に、通信分岐回路１２、アドレス記憶部１４、ＩＰアドレス変換回路１３（１３１  〜１３４  ）、ネットワークＩＦ１１１  〜１１４  、およびそれらを接続する内部通信路４１〜４４、５１〜５４、６１〜６４とを備えて構成されている。
【００６９】
又、この中継装置本体１０Ａの上記各ネットワークＩＦ１１１  〜１１４  には、通信パケットを送受信するデータ送受信装置２０１  〜２０４  が、前述した第１実施形態の場合と同様に、それぞれネットワーク・ケーブル７１〜７４を介して個別に連結されている。
【００７０】
ネットワークＩＦ１１１  〜１１４  は、それぞれ内部通信路４１〜４４を介してＩＰアドレス変換回路１３１  〜１３４  に個別に接続されている。
又、ＩＰアドレス変換回路１３１  〜１３４  は、内部通信路６１〜６４を介してアドレス記憶部１４にそれぞれ接続されている。
【００７１】
更に、ＩＰアドレス変換回路１３１  〜１３４  は、通信分岐回路１２と内部通信路５１〜５４により接続されている。
その他の構成は、前述した第１実施形態の場合と同一となっている。
【００７２】
（実施例の動作）
一例として図４の装置２０１  から装置２０２  に対して通信を行う際の動作について、順に説明する。
【００７３】
ここで、ＩＰアドレス変換回路１３１  〜１３４  は、それぞれ内部接続６１〜６４を経由して事前にアドレス記憶部１４より各ＩＰアドレス変換回路１３１  〜１３４  用のアドレス変換ルールを取得するものとする。
【００７４】
まず、装置２０１  は、装置２０２  がネットワーク・ケーブル７０２  で接続されるネットワークＩＦ１１２  に設定された代替ＩＰアドレス９２宛の通信パケットをネットワーク・ケーブル７０１  経由でネットワークＩＦ１１１  に送信する。
【００７５】
次に、ネットワークＩＦ１１１  で受信される装置２０１  からの通信パケットは、内部通信路４１を経由して、ＩＰアドレス変換回路１３１  に到達する。
続いて、ＩＰアドレス変換回路１３１  は、装置２０１  から受信した通信パケットの送信元ＩＰアドレスを、装置２０１  のＩＰアドレスＩＰ８１からネットワークＩＦ１１１  用の代替ＩＰアドレスＩＰ９１に変換し、内部通信路５１経由で通信分岐回路１２に送信する。
【００７６】
次に、通信分岐回路１２は、ＩＰアドレス変換回路１３１  から受信した通信パケットの送信先ＩＰアドレスに基づいて通信パケットの送信先をＩＰアドレス変換回路１３２  と判断し、通信パケットを回線５２経由でＩＰアドレス変換回路１３２  に送信する。
【００７７】
続いて、ＩＰアドレス変換回路１３２  は、通信分岐回路１２から受信した通信パケットの送信先ＩＰアドレスをＩＰ９１から装置２０１  のＩＰアドレスＩＰ８１に変換し、通信パケットを内部通信路４２経由でネットワークＩＦ１１２  に送信する。
【００７８】
このネットワークＩＦ１１２  に到達した通信パケットは、ネットワーク・ケーブル７２を経由して装置２０２  に到達する。そして、この際、通信パケットの送信先である装置２０２  のＩＰアドレスはＩＰ８２、送信元のＩＰアドレスは中継装置本体１０ＡのネットワークＩＦ１１１  の代替ＩＰアドレスＩＰ９１となる。
他の装置（データ送受信装置）相互間の場合も同様である。
【００７９】
（実施例の効果）
このようにしても、前述した第１実施形態におけるデータ中継装置１０の場合と同等の作用効果を得ることができる。
【００８０】
上述した各実施形態および実施例については、その新規な技術的内容の要点をまとめると、以下の「付記」ようになる。尚、ここにまとめた新規な技術的内容については、本発明をこれに限定するものではない。
【００８１】
〔付記１〕
ネットワークを介して接続された複数の各データ送受信装置が相互にデータ通信を行うのを中継する中継装置本体を備えたデータ中継装置であって、
前記中継装置本体が、前記各データ送受信装置を相互に接続する複数のネットワーク・インタフェースと、この内の一のネットワーク・インタフェースを介して前記データ送受信装置の内の一の前記データ送受信装置から出される通信要請に基づいて通信先である他のデータ送受信装置に対応するネットワーク・インタフェースを選択し当該各ネットワーク・インタフェースを相互に接続する通信分岐回路とを備え、
前記通信分岐回路が前記選択動作で必要とする識別可能な前記一方と他方の各データ送受信装置の代替ＩＰアドレスを前記ネットワーク・インタフェースの各位置番号に対応させて設定し出力するＩＰアドレス変換回路を、前記通信分岐回路に併設したことを特徴とするデータ中継装置。
【００８２】
〔付記２〕（アドレス記憶部）
付記１に記載のデータ中継装置において、
前記各ネットワーク・インタフェースの代替ＩＰアドレスと、前記各ネットワーク・インタフェースに接続された前記各データ送受信装置のＩＰアドレスと、前記ＩＰアドレス変換回路によるＩＰアドレス変換の実施可否設定の組合せ情報とをアドレス変換ルールとして予め記憶して成るアドレス記憶部を、前記ＩＰアドレス変換回路に併設したことを特徴とするデータ中継装置。
【００８３】
〔付記３〕（ＩＰアドレス変換回路の機能）
付記２に記載のデータ中継装置において、
前記ＩＰアドレス変換回路は、
前記アドレス記憶部に記憶されたアドレス変換ルールに基いて、前記各データ送受信装置から出力される通信パケットの送信先ＩＰアドレス及び送信元ＩＰアドレスを特定する送信先特定機能と、この特定された送信先および送信元の各ＩＰアドレスを対応する前記代替ＩＰアドレスに個別に変換して前記通信分岐回路に送り出すＩＰアドレス変換機能とを備えていることを特徴としたデータ中継装置。
【００８４】
〔付記４〕（ＩＰアドレス取得機能）
付記３に記載のデータ中継装置において、
前記ＩＰアドレス変換回路は、前記アドレス変換に際しては、前記アドレス記憶部に記憶されたアドレス変換ルールに基づいて前記ネットワーク・インタフェースに接続された前記各データ送受信装置のＩＰアドレスを自動的に取得するＩＰアドレス取得機能を備えていることを特徴としたデータ中継装置。
【００８５】
〔付記５〕（ＩＰアドレス可変設定処理機能）
付記２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された各データ送受信装置にかかるＩＰアドレスが新たに入力された場合に、当該ＩＰアドレスおよび当該ＩＰアドレスに対応する代替ＩＰアドレスをそれぞれ可変設定するＩＰアドレス可変設定処理機能を備えていることを特徴としたデータ中継装置。
【００８６】
〔付記６〕（端末／代替ＩＰアドレス設定処理機能）
付記２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された各データ送受信装置にかかる代替ＩＰアドレスが入力された場合に、当該入力情報に基づいて前記代替ＩＰアドレスを設定し又は可変設定する代替ＩＰアドレス設定処理機能を備えていることを特徴としたデータ中継装置。
【００８７】
〔付記７〕（端末／アドレス変換停止制御機能）
付記２に記載のデータ中継装置において、
前記中継装置本体にデータ入力用の端末を併設すると共に、
前記ＩＰアドレス変換回路は、前記端末から前記アドレス記憶部におけるアドレス変換ルールの内の前記ネットワーク・インタフェースに接続された特定のデータ送受信装置について前記ＩＰアドレスの変換を実行しない旨の指令が入力された場合に、当該指令にかかるデータ送受信装置についてはＩＰアドレスの変換を実行しないアドレス変換停止制御機能を備えていることを特徴としたデータ中継装置。
【００８８】
〔付記８〕（端末／代替データ取得送信処理機能）
付記２に記載のデータ中継装置において、
前記ＩＰアドレス変換回路は、前記各データ送受信装置の内の少なくとも一のデータ送受信装置から対応するネットワーク・インタフェースを介して前記ＩＰアドレス変換回路に対し代替ＩＰアドレスの交付の要求が成された場合に稼働し、前記アドレス記憶部のアドレス変換ルールから対応する前記ネットワーク・インタフェースの代替ＩＰアドレスを取得し当該ネットワーク・インタフェースを介して前記データ送受信装置へ送信する代替データ取得送信処理機能を備えていることを特徴としたデータ中継装置。
【００８９】
〔付記９〕（アドレス変換不実行制御機能）
付記８に記載のデータ中継装置において、
前記ＩＰアドレス変換回路は、前記代替ＩＰアドレスを付与した前記データ送受信装置が接続されたネットワーク・インタフェースについては、外部からの要求があっても当該ＩＰアドレスのアドレス変換を実行しないアドレス変換不実行制御機能を備えていることを特徴としたデータ中継装置。
【００９０】
〔付記１０〕（方法の発明）
ネットワークを介して接続された複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて、前記中継装置本体のＩＰアドレス変換回路が稼働し、前記送信要請にかかる送信先のデータ送受信装置および対応するＩＰアドレスを特定し（送信先情報特定工程）、
この特定された送信先および送信要請元の各ＩＰアドレスを、前記中継装置本体のＩＰアドレス変換回路が稼働し対応するネットワーク・インタフェースの代替ＩＰアドレスに変換し通信パケットと共に出力し（代替ＩＰアドレス変換出力工程）、
この代替ＩＰアドレスに基づいて前記送信要請にかかる送信先および送信要請元の各データ送受信装置が接続されたネットワーク・インタフェースを、前記通信分岐回路が相互通信用として選択し（ネットワーク・インタフェース選択工程）、
この送信先のネットワーク・インタフェースと共に送られてくる通信パケットの代替ＩＰアドレスを、前記ＩＰアドレス変換回路が送信先のＩＰアドレスに変換し特定された前記ネットワーク・インタフェースを介して前記送信先のデータ送受信装置へ送信するようにしたこと（通信パケット送信制御工程）を特徴とするデータ中継方法。
【００９１】
〔付記１１〕（プログラム発明）
ネットワークを介して接続された複数のデータ送受信装置が相互にデータ通信を行うのを中継する中継装置本体を備え、この中継装置本体が前記各データ送受信装置を相互に接続するための複数のネットワーク・インタフェースを備えてなるデータ中継装置にあって、
前記一のネットワーク・インタフェースを介して前記データ送受信装置の内の一の前記データ送受信装置から出されるパケットデータの送信要請に基づいて前記送信要請にかかる送信先のデータ送受信装置および対応するＩＰアドレスを特定する送信先情報特定機能、
この特定された送信先および送信要請元の各ＩＰアドレスを対応するネットワーク・インタフェースの代替ＩＰアドレスに変換し通信パケットと共に出力する代替ＩＰアドレス変換出力処理機能、
この代替ＩＰアドレスに基づいて前記送信要請にかかる送信先および送信要請元の各データ送受信装置が接続されたネットワーク・インタフェースを相互通信用として選択し特定するネットワーク・インタフェース選択機能、
およびこの送信先のネットワーク・インタフェースと共に送られてくる通信パケットの代替ＩＰアドレスを送信先のＩＰアドレスに変換し特定された前記ネットワーク・インタフェースを介して前記送信先のデータ送受信装置へ送信制御する通信パケット送信制御機能、
を設け、これらの各機能を前記中継装置本体が備えているコンピュータに実現させるようにしたことを特徴としたデータ中継プログラム。
【産業上の利用可能性】
【００９２】
本発明の活用例として、以下のものが想定される。
まず、データセンターでのサーバ装置の遠隔管理装置（ＢＭＣ）への通信用である。又、マスタディスクを用いてコピーされたハードディスクを持つコンピュータへの通信にも適用可能である。更に、組み込み機器間の通信にも適用可能である。
【符号の説明】
【００９３】
１０  データ中継装置
１０Ａ  中継装置本体
１１１  乃至１１ｎ    ネットワーク・インタフェース（ネットワークＩＦ）
１２  通信分岐回路
１３（１３１  乃至１３ｎ  ）  ＩＰアドレス変換回路
１３Ａ  送信先特定機能
１３Ｂ  ＩＰアドレス変換機能
１３Ｃ  ＩＰアドレス取得機能
１３Ｄ  ＩＰアドレス可変設定処理機能
１３Ｅ  代替ＩＰアドレス設定処理機能
１３Ｆ  アドレス変換停止制御機能
１３Ｇ  代替データ取得送信処理機能
１３Ｈ  アドレス変換不実行制御機能
２０１  乃至２０ｎ    データ送受信装置
２１  管理用端末（端末）
【図１】
2014204257.tif 000003
【図２】
2014204257.tif 000004
【図３】
2014204257.tif 000005
【図４】
2014204257.tif 000006
【図５】
2014204257.tif 000007
【図６】
2014204257.tif 000008
【図７】
2014204257.tif 000009